(57)【要約】【課題】ケチャップやチョコレート等の収納物を用いて、絵や文字等を良好に描くことができる分配包装体を提供する。【解決手段】硬質で平板状の蓋部材と、可撓性の収納部と、を備える分配包装体であって、蓋部材は、長手方向中心線上にハーフカットを有し、蓋部材は、長手方向に略平行な吐出口形成部を一つ有し、吐出口形成部は、底面が略長方形である略四角錐の形状であり、短手方向中心線から短手方向端部の間に位置し、吐出口形成部の長手方向の寸法は、蓋部材の長手方向の寸法に対して、２０％以上４５％以下であり、ハーフカットにより形成される、吐出口形成部の三角形状の垂直断面の頂角が、１０度以上３０度以下の鋭角である、分配包装体を提供する。【選択図】図１
2019018887.tif 000002
【特許請求の範囲】
【請求項１】
硬質で平板状の蓋部材と、可撓性の収納部と、を備える分配包装体であって、
前記蓋部材は、長手方向中心線上にハーフカットを有し、
前記蓋部材は、長手方向に略平行な吐出口形成部を一つ有し、
前記吐出口形成部は、底面が略長方形である略四角錐の形状であり、短手方向中心線から短手方向端部の間に位置し、
前記吐出口形成部の長手方向の寸法は、前記蓋部材の長手方向の寸法に対して、２０％以上４５％以下であり、
前記ハーフカットにより形成される、前記吐出口形成部の三角形状の垂直断面の頂角が、１０度以上３０度以下の鋭角である、分配包装体。
【請求項２】
前記蓋部材の表側平面から、前記頂角を有する頂点までの垂直方向の高さが、１．５ｍｍ以上２．５ｍｍ以下である、請求項１に記載の分配包装体。
【請求項３】
前記吐出口形成部の位置に近い前記蓋部材の短手方向端部と、前記吐出口形成部と、の距離は、前記蓋部材の短手方向の寸法に対して１／１０以上１／３以下である、請求項１又は２に記載の分配包装体。
【請求項４】
前記収納部に粘度が２０Ｐａ・ｓ以上１５０Ｐａ・ｓ以下の粘稠物が収納されている請求項１から３のいずれかに記載の分配包装体。
【発明の詳細な説明】
【技術分野】
【０００１】
本発明は、ケチャップやチョコレート等の収納物を用いて、絵や文字等を良好に描くことができる分配包装体に関する。
【背景技術】
【０００２】
従来、ファーストフード店やコンビニエンスストア等で販売されるハンバーガーやホットドック、サラダ等の食品のなかには、マスタード、ケチャップ、ソース、ドレッシング、ジャム等の調味料を密封収納した分配包装体が添付されているものがある。
【０００３】
これらの分配包装体は、調味料等を密封収納し、硬質で平板状の蓋部材をＶ字型に折り曲げることにより開口を形成して調味料等の収納物を所望の量だけ押し出すことができる構造となっており、このような分配包装体について種々の検討がなされている。
【０００４】
例えば特許文献１には、表面の中央部に破断域として突起状の吐出口形成部を有するハーフカットに添って折り曲げ可能な硬質の蓋部材と、その蓋部材の裏面に周縁部を固着した可撓性部材からなる収納部とをもって、蓋部材の破断域に通ずる収納部を形成した分配包装体において、吐出口形成部の尖端部を四方に稜線を有する略ピラミッド形状とするとともにハーフカットと同一線上の稜線の下半部を略直方体形状の突起の一側端部と直交施装した形状としてあり、ハーフカットと同一線上にある略直方体形状の突起の平面及び垂直面にハーフカットが形成してあることを特徴とする分配包装体が開示されており、蓋部材表面の突起状の吐出口形成部の形状を蓋部材折り曲げ時に広い吐出口として拡開できる形状としてあるので、内容物に粒径の大なる固形物を含んでいても吐出口に詰まることなくスムーズに抽出できるとされている。
【０００５】
また、特許文献２には、折曲線を起点として蓋部材をその裏面側に折り曲げたときに複数の吐出口形成部がハーフカットに沿ってそれぞれ割損し、それらの中空部分が蓋部材の表面側に露出して蓋に蛇腹状の吐出開口を形成するように構成された分配包装体において、複数の突条帯は、蓋の左右方向の一方の端部の近傍から他方の端部の近傍へと延設された前後一対の長辺吐出口形成部と、前後一対の長辺吐出口形成部の間に配設された、長辺吐出口形成部よりも全長の短い前後一対の中辺吐出口形成部からなる中辺吐出口形成部の組を少なくとも１組と、少なくとも長辺吐出口形成部と中辺吐出口形成部との間にそれぞれ配設された、中辺吐出口形成部よりも全長の短い一対の短辺吐出口形成部と、を有し、長辺吐出口形成部、中辺吐出口形成部及び短辺吐出口形成部が、ハーフカットの中点に対し点対称となるように配設されていることを特徴とする分配包装体が開示されており、蓋部材の全体的な曲げ剛性を高められ、輸送時やあるいは取扱時に蓋が押圧されても蓋は容易に変形することがないから、ハーフカットに容易に亀裂が生じることがなく、収納物の密封が損なわれることがないとされている。
【先行技術文献】
【特許文献】
【０００６】
【特許文献１】特開２００１−３３５０７１号公報
【特許文献２】特開２０１０−１２６２１６号公報
【発明の概要】
【発明が解決しようとする課題】
【０００７】
ここで、収納物を収納した分配包装体に関して、単に対象物に対して収納したケチャップを押し出すだけでなく、例えば、オムライス等に収納されたケチャップを用いて絵や模様を描く場面や、製菓の分野において収納されたチョコレートを用いて文字や図形等を描く場面も想定される。しかしながら、特許文献１や特許文献２に記載されるような従来の分配包装体において、吐出口の詰まりや収納物の密封性についての検討はなされているものの、収納物を用いて絵や文字等を描くという観点における検討は十分になされていなかった。本発明は以上の点に鑑みてなされたものであり、本発明は、ケチャップやチョコレート等の収納物を用いて、絵や文字等を良好に描くことができる分配包装体を提供することを目的とする。
【課題を解決するための手段】
【０００８】
本発明の発明者らは、上記課題に鑑み、鋭意研究を行った。その結果、吐出口形成部の位置や形状を工夫することにより、上記の課題を解決できることを見出し、本発明を完成するに至った。具体的には、本発明は、以下のものを提供する。
【０００９】
（１）本発明の第１の態様は、硬質で平板状の蓋部材と、可撓性の収納部と、を備える分配包装体であって、前記蓋部材は、長手方向中心線上にハーフカットを有し、前記蓋部材は、長手方向に略平行な吐出口形成部を一つ有し、前記吐出口形成部は、底面が略長方形である略四角錐の形状であり、短手方向中心線から短手方向端部の間に位置し、前記吐出口形成部の長手方向の寸法は、前記蓋部材の長手方向の寸法に対して、２０％以上４５％以下であり、前記ハーフカットにより形成される、前記吐出口形成部の三角形状の垂直断面の頂角が、１０度以上３０度以下の鋭角である、分配包装体である。
【００１０】
（２）本発明の第２の態様は、（１）に記載の分配包装体であって、前記蓋部材の表側平面から、前記頂角を有する頂点までの垂直方向の高さが、１．５ｍｍ以上２．５ｍｍ以下であることを特徴とするものである。
【００１１】
（３）本発明の第３の態様は、（１）又は（２）に記載の分配包装体であって、前記吐出口形成部の位置に近い前記蓋部材の短手方向端部と、前記吐出口形成部と、の距離は、前記蓋部材の短手方向の寸法に対して１／１０以上１／３以下であることを特徴とするものである。
【００１２】
（４）本発明の第４の態様は、（１）から（３）のいずれかに記載の分配包装体であって、前記収納部に粘度が２０Ｐａ・ｓ以上１５０Ｐａ・ｓ以下の粘稠物が収納されていることを特徴とするものである。
【発明の効果】
【００１３】
本発明の分配包装体では、該分配包装体を構成する吐出口形成部の位置やハーフカットにより形成される、吐出口形成部の三角形状の垂直断面の頂角の角度が調整されているため、本発明によれば、ケチャップやチョコレート等の収納物を用いて、絵や文字等を良好に描くことができる分配包装体を提供することができる。
【図面の簡単な説明】
【００１４】
【図１】本発明の分配包装体の斜視図である。
【図２】本発明の分配包装体の平面図である。
【図３】本発明の分配包装体の正面図である。
【図４】図３のＹ１−Ｙ１断面の吐出口形成部付近の拡大図である。
【発明を実施するための形態】
【００１５】
以下、本発明の実施形態に係る分配包装体１について説明する。
【００１６】
[分配包装体]
図１及び図２に示すように、本発明の分配包装体１は、硬質で平板状の蓋部材１０と、可撓性の収納部２０と、を備え、蓋部材１０は、長手方向中心線上にハーフカット１２を有し、蓋部材１０は、長手方向に略平行な吐出口形成部１１を一つ有する構造となっている。また、蓋部材１０の構成は、共重合ポリエステル系樹脂層、ポリスチレン樹脂層、接着層、エチレン−酢酸ビニル共重合体ケン化物樹脂（ＥＶＯＨ）層、ポリエチレン系樹脂層等を用いて多層構成とすることが好ましく、このような構成にすることにより、硬質な蓋部材１０を得ることができる。また、収納部２０の構成は、ポリエチレン樹脂層、ポリアミド樹脂層等を用いて多層構成にすることが好ましく、このような構成にすることにより、収納物を押し出しやすく使用しやすい可撓性のある収納部２０を得ることができる。蓋部材１０の裏面に収納部２０の周縁が固着されて分配包装体１が形成される。
【００１７】
分配包装体１の収納部２０には、ケチャップやチョコレート等の食品が収納されており、ハーフカット１２を介してＶ字状に蓋部材１０を折り曲げることにより、吐出口形成部１１が割れて吐出口が形成され、収納されている食品を所望の量で押し出すことができる。なお、本明細書の説明において、分配包装体１の短手方向とは、後述するハーフカット１２に平行な方向であり、図中、符号Ｙで示す方向である。また、分配包装体１の長手方向とは、短手方向に対して直交する方向であり、図中、符号Ｘで示す方向である。
【００１８】
なお、扱いやすさや汎用性の観点から蓋部材１０の長手方向の寸法Ｌは３５ｍｍ以上１００ｍｍ以下であることが好ましく、蓋部材１０の短手方向の寸法Ｍは２５ｍｍ以上６０ｍｍ以下であることが好ましく、分配包装体１の高さＮは５ｍｍ以上３０ｍｍ以下であることが好ましい。
【００１９】
［吐出口形成部の位置］
吐出口形成部１１は、図１から図３に示すように底面が略長方形である略四角錐の形状であり、短手方向中心線から短手方向端部の間に位置する。このように、吐出口形成部１１が短手方向中心線から短手方向端部の間に位置することにより、吐出口の位置を把握しやすくなり、収納部２０に収納された収納物を押し出す際に、絵や文字等を描写しやすくなる。さらに、より効果的に吐出口の位置を把握しやすくするために、吐出口形成部１１の位置に近い蓋部材１０の短手方向端部と、吐出口形成部１１と、の距離Ａは、蓋部材１０の短手方向の寸法Ｍに対して１／１０以上１／３以下であることが好ましく、１／８以上１／４以下であることがより好ましい。
【００２０】
[吐出口形成部の寸法]
吐出口形成部１１の長手方向の寸法Ｂは、蓋部材１０の長手方向の寸法Ｌに対して、２０％以上４５％以下であり、２５％以上４０％以下であることがより好ましい。また、吐出口形成部１１の短手方向の寸法Ｃは４ｍｍ以上１５ｍｍ以下であることが好ましい。吐出口形成部１１の長手方向の寸法Ｂを上記のように調整することにより、ハーフカット１２を介してＶ字状に蓋部材１０を折り曲げ、吐出口形成部１１が割れて吐出口が形成される際に、割れやすくすることができる。
【００２１】
[吐出口形成部の頂角と高さ]
図４は、図３のＹ１−Ｙ１断面の吐出口形成部１１付近の拡大図である。本発明の分配包装体１において、ハーフカット１２により形成される、吐出口形成部１１の三角形状の垂直断面の頂角θが、１０度以上３０度以下の鋭角であり、さらに１５度以上２８度以下であることが好ましく、１８度以上２５度以下であることがより好ましい。このように吐出口形成部１１の三角形状の垂直断面の頂角θを調整することにより、収納物を用いて絵や文字等を描く際に収納物が垂れることを防止でき、また、収納物が吐出口に詰まることを防止でき、より文字や絵等を描きやすい分配包装体１を得ることができる。加えて、当該要件を満たすことを前提に、より文字や絵等を描きやすくするために、蓋部材１０の表側平面から、頂角θを有する頂点までの垂直方向の高さＤが、１．５ｍｍ以上２．５ｍｍ以下であることが好ましく、１．８ｍｍ以上２．３ｍｍ以下であることがより好ましい。
【００２２】
[収納物]
なお、本発明の分配包装体１に収納する収納物としては、マスタード、ケチャップ、ソース、ドレッシング、ジャム、チョコレート等の流動性又は粘稠性の食品が挙げられるが、収納物を用いて絵や文字等を描くという観点から、収納部２０にＢ型粘度計で２３℃の条件下で測定した粘度が２０Ｐａ・ｓ以上１５０Ｐａ・ｓ以下の粘稠物が収納されていることが好ましい。収納物の粘度を前記範囲とすることによって、収納物を押し出す際に、絵や文字等を描写しやすく、収納物を用いて絵や文字等を描く際に収納物が垂れることを防止できる。
【００２３】
[補強リブ]
なお、本発明の分配包装体１において、図１から図３に示すように、蓋部材１０の表面から突出する補強リブ１３が、ハーフカット１２に直交するように設けられることが好ましい。補強リブ１３を設けることにより、ハーフカット１２を介してＶ字状に蓋部材１０を折り曲げる際に、蓋部材１０が曲げ応力に耐えて歪みにくくすることができ、また、吐出口形成部１１に応力を十分に伝わらせることができる。なお、補強リブ１３は、ハーフカット１２を中心線として長手方向両端部に向けて略対称に形成されることが好ましい。
【実施例】
【００２４】
以下、本発明について、実施例を挙げて詳細に説明する。なお、本発明は以下に示す実施例に何ら限定されるものではない。
【００２５】
＜実施例１から実施例３、比較例１から比較例４＞
表１記載の実施例１から実施例３及び比較例１から比較例４に関する分配包装体を用いて開封性評価及び線描き評価を行った。なお、蓋部材の長手方向の寸法Ｌは５２．５ｍｍ、蓋部材の短手方向の寸法Ｍは３５ｍｍ、分配包装体の高さＮは１０ｍｍであり、蓋部材の主な材質はポリスチレン、収納部の主な材質はポリエチレンである。また、吐出口形成部は、吐出口形成部の位置に近い蓋部材の短手方向端部と、吐出口形成部と、の距離Ａを、蓋部材の短手方向の寸法に対して１／５となるように設けた。各実施例及び各比較例において、表１に記載するように、吐出口形成部の長手方向の寸法Ｂ（ｍｍ）、蓋部材の長手方向の寸法Ｌに対する吐出口形成部の長手方向の寸法Ｂ（％）、ハーフカットにより形成される、吐出口形成部の三角形状の垂直断面の頂角θの角度（表１に記載の頂角θの角度）、蓋部材の表側平面から、当該頂角を有する頂点までの垂直方向の高さＤ（表１に記載の高さＤ）が、それぞれ異なる分配包装体を用意した。
【００２６】
[開封性評価]
モニター４名により開封性試験を行った。ハーフカットを介してＶ字状に蓋部材を折り曲げて以下の基準により評価を行った。
〇：モニター全員がきれいに割ることができた場合
△：モニター全員が割ることはできたが、割れが不十分で収納物が出ないものが発生した場合
×：一部に割れない分配包装体が発生した場合
【００２７】
[線描き評価]
１０ｇのスプレッド状のチョコレート（粘度３０Ｐａ・ｓ）を収納部に収納し、ハーフカットを介してＶ字状に蓋部材を折り曲げて、加圧しながら吐出口から継続して押し出し、押し出し開始から押し出し終了までの時間を計測し、以下の基準により評価した。なお、時間の計測は、各分配包装体につき３回行い、３回の平均の時間を算出して評価した。
◎：１０秒以上の場合
〇：７秒以上の場合
×：７秒未満の場合
−：評価しなかった
【００２８】
[総合評価]
表１の総合評価の欄については、開封性評価及び線描き評価のいずれかの評価で×の評価があった場合には×として記載し、開封性評価及び線描き評価において、いずれも×の評価が発生しなかった場合には、〇として記載した。
【００２９】
【表１】
2019018887.tif 000003
【００３０】
以上より、本発明の分配包装体によれば、収納物を用いて絵や文字等を良好に描くことができる。
【符号の説明】
【００３１】
１    分配包装体
１０  蓋部材
１１  吐出口形成部
１２  ハーフカット
１３  補強リブ
２０  収納部
Ｌ    蓋部材の長手方向の寸法
Ｍ    蓋部材の短手方向の寸法
Ｎ    分配包装体の高さ
Ａ    吐出口形成部の位置に近い蓋部材の短手方向端部と、吐出口形成部と、の距離
Ｂ    吐出口形成部の長手方向の寸法
Ｃ    吐出口形成部の短手方向の寸法
θ    ハーフカットにより形成される、吐出口形成部の三角形状の垂直断面の頂角
Ｄ    蓋部材の表側平面から、頂角を有する頂点までの垂直方向の高さ
【図１】
2019018887.tif 000004
【図２】
2019018887.tif 000005
【図３】
2019018887.tif 000006
【図４】
2019018887.tif 000007